(57)【要約】【課題】  本発明は、ユーザ所望の番組を簡易に録画予約できるようにする。【解決手段】  本発明は、複数の通信端末７〜９とインターネット３を介して相互に接続される複数の録画機器４〜６とが一意に対応付けられた携帯電話機−録画機器対応テーブルと、通信端末７〜９からのアクセスに対し携帯電話機−録画機器対応テーブルを介して当該通信端末７〜９と一意に対応付けられた録画機器４〜６とをネットワーク接続させ、当該通信端末７〜９からの番組予約情報を当該録画機器４〜６に対して転送することにより当該録画機器４〜６に対して当該番組予約情報に基づく録画予約を実行させる制御部３０とを設けるようにする。【選択図】        図１
2005210644.tif 000002
【特許請求の範囲】
【請求項１】
複数の通信端末とネットワークを介して相互に接続される複数の記録機器とが一意に対応付けられたテーブルと、
上記通信端末からのアクセスに対し上記テーブルを介して当該通信端末と一意に対応付けられた記録機器とをネットワーク接続させ、当該通信端末からの番組予約情報を当該記録機器に対して転送することにより当該記録機器に対して当該番組予約情報に基づく番組予約を実行させる制御手段と
を具えることを特徴とする番組予約管理装置。
【請求項２】
上記通信端末は、上記番組予約情報としてＵＲＬを用いる
ことを特徴とする請求項１に記載の番組予約管理装置。
【請求項３】
複数の通信端末とネットワークを介して相互に接続される複数の記録機器とが一意に対応付けられたテーブルを用いて、上記通信端末からのアクセスに対して当該通信端末と一意に対応付けられた記録機器を認識する認識ステップと、
上記通信端末と一意に対応付けられた記録機器とをネットワーク接続する接続ステップと、
当該通信端末からの番組予約情報を当該記録機器に対して転送することにより当該記録機器に対して当該番組予約情報に基づく番組予約を実行させる制御ステップと
を具えることを特徴とする番組予約管理方法。
【請求項４】
複数の通信端末と、
上記複数の通信端末に対しネットワークを介して相互に接続される複数の記録機器と、
上記複数の通信端末と上記複数の記録機器とが一意に対応付けられたテーブルを用いて、上記通信端末からのアクセスに対し当該通信端末と一意に対応付けられた記録機器とを相互にネットワーク接続させ、当該通信端末からの番組予約情報を当該記録機器に対して転送することにより当該記録機器に対して当該番組予約情報に基づく番組予約を実行させる番組予約管理装置と
を具えることを特徴とする番組予約管理システム。
【請求項５】
上記番組予約管理装置は、上記通信端末からの上記番組予約情報としてＵＲＬを当該記録機器へ転送する
ことを特徴とする請求項４に記載の番組予約管理システム。
【請求項６】
番組の記録及び番組予約を実行する記録機器であって、
当該記録機器と一意に対応付けられたネットワーク上に存在する通信端末から番組予約情報を所定の番組予約管理装置を介して受信する受信手段と、
上記番組予約情報に従って番組予約を実行する番組予約制御手段と
を具えることを特徴とする記録機器。
【請求項７】
上記受信手段は、上記通信端末から転送された上記番組予約情報としてＵＲＬを受信し、
上記番組予約制御手段は、上記ＵＲＬに基づいて上記番組予約を実行する
ことを特徴とする請求項６に記載の記録機器。
【請求項８】
番組の記録及び番組予約を記録機器によって実行する番組予約方法であって、
上記記録機器と一意に対応付けられたネットワーク上に存在する通信端末から番組予約情報を所定の番組予約管理装置を介して受信する受信ステップと、
上記番組予約情報に従って番組予約を実行する番組予約制御ステップと
を具えることを特徴とする番組予約方法。
【発明の詳細な説明】
【技術分野】
【０００１】
本発明は、番組予約管理装置に関し、例えば携帯電話機を用いてＴＶ放送番組の録画予約を行う場合に適用して好適なものである。
【背景技術】
【０００２】
従来、ユーザが視聴を望むＴＶ放送番組を容易に取得する放送番組取得システムとして、ユーザによって入力された検索キーワードに基づいて検索したＴＶ放送番組の番組情報を番組情報サーバの番組情報蓄積部から情報端末へ提供し、当該番組情報に対応したＴＶ放送番組を当該情報端末によって録画予約するようになされたものがある（例えば、特許文献１参照）。
【特許文献１】特開2003-87769公報（第９頁、図３）
【発明の開示】
【発明が解決しようとする課題】
【０００３】
ところでかかる構成の放送番組取得システムにおいては、番組情報サーバに対してアクセスしてきた情報端末に対して検索キーワードに基づく番組情報を提供することは可能であるが、特定のユーザが推奨する番組情報を特定のユーザへ個別に提供して簡易に録画予約させることまでは考慮されていなかった。
【０００４】
本発明は以上の点を考慮してなされたもので、ユーザ所望の番組を簡易に予約し得る番組予約管理装置を提案しようとするものである。
【課題を解決するための手段】
【０００５】
かかる課題を解決するため本発明の番組予約管理装置においては、複数の通信端末とネットワークを介して相互に接続される複数の記録機器とが一意に対応付けられたテーブルと、通信端末からのアクセスに対しテーブルを介して当該通信端末と一意に対応付けられた記録機器とをネットワーク接続させ、当該通信端末からの番組予約情報を当該記録機器に対して転送することにより当該記録機器に対して当該番組予約情報に基づく番組予約を実行させる制御手段とを設けるようにする。
【０００６】
番組予約管理装置は、通信端末から番組予約情報を受け取り、これを当該通信端末と一意に対応付けられた記録機器へ転送し、当該記録機器で番組予約させることができるので、当該通信端末のユーザに番組予約情報の送信先を意識させることなく当該通信端末から番組予約情報を番組予約管理装置宛てに送信させるだけで当該記録機器に対して番組予約させることができる。
【０００７】
また本発明の番組予約管理システムにおいては、複数の通信端末と、複数の通信端末に対しネットワークを介して相互に接続される複数の記録機器と、複数の通信端末と複数の記録機器とが一意に対応付けられたテーブルを用いて通信端末からのアクセスに対し当該通信端末と一意に対応付けられた記録機器とを相互にネットワーク接続させ、当該通信端末からの番組予約情報を当該記録機器に対して転送することにより当該記録機器に対して当該記録予約情報に基づく番組予約を実行させる番組予約管理装置とを設けるようにする。
【０００８】
番組予約管理装置は、通信端末から番組予約情報を受け取り、これを当該通信端末と一意に対応付けられた記録機器へ転送し、当該記録機器で番組予約させることができるので、当該通信端末のユーザに番組予約情報の送信先を意識させることなく当該通信端末から番組予約情報を番組予約管理装置宛てに送信させるだけで当該記録機器に対して番組予約させることができる。
【０００９】
さらに本発明の記録機器においては、番組の記録及び番組予約を実行する記録機器であって、当該記録機器と一意に対応付けられたネットワーク上に存在する通信端末から番組予約情報を所定の番組予約管理装置を介して受信する受信手段と、番組予約情報に従って番組予約を実行する番組予約制御手段とを設けるようにする。
【００１０】
記録機器は、当該記録機器と一意に対応付けられたネットワーク上に存在する通信端末からの番組予約情報を番組予約管理装置を介して受信し、当該番組予約情報に従って番組予約を実行するだけで、結果的にユーザ所望の番組を予約することになるので、ユーザは通信端末から番組予約情報を番組予約管理装置宛に送信するだけで煩雑な操作なしに所望の番組を簡易に予約することができる。
【発明の効果】
【００１１】
本発明によれば、通信端末から番組予約情報を受け取り、これを当該通信端末と一意に対応付けられた記録機器へ転送し、当該記録機器で番組予約させることができるので、当該通信端末のユーザに番組予約情報の送信先を意識させることなく当該通信端末から番組予約情報を番組予約管理装置宛てに送信するだけで当該記録機器に対して番組予約させることができる。
【発明を実施するための最良の形態】
【００１２】
以下、図面について、本発明の一実施の形態を詳述する。
【００１３】
（１）録画予約管理システムの全体構成
図１において、１は全体として本発明の番組予約管理システムとしての録画予約管理システムを示し、番組予約管理装置としての認証サーバ２と、Ａさん宅の録画機器４、Ｂさん宅の録画機器５及びＣさん宅の録画機器６とがインターネット３を介して接続されると共に、当該インターネット３には基地局１０を介してＡさんの携帯電話機７、Ｂさんの携帯電話機８及びＣさんの携帯電話機９が接続されている。
【００１４】
従って録画予約管理システム１では、Ａさんは当該Ａさんの携帯電話機７から認証サーバ２を経由して自己の録画機器４に対してアクセスすることが可能であり、同様にＢさん及びＣさんも当該Ｂさん及びＣさんの携帯電話機８及び９から認証サーバ３を経由して自己の録画機器５及び６に対してアクセスすることが可能である。
【００１５】
この認証サーバ２は、例えばＡさんの携帯電話機７からアクセス要求を受け付けると、その接続希望先がＡさん宅の録画機器４であると認識し、当該録画機器４に対して携帯電話機７からのリクエストを転送する。
【００１６】
同様に認証サーバ２は、Ｂさんの携帯電話機８からアクセス要求を受け付けると、その接続希望先がＢさん宅の録画機器５であると認識し、当該録画機器５に対して携帯電話機８からのリクエストを転送する。
【００１７】
さらに認証サーバ２は、Ｃさんの携帯電話機９からアクセス要求を受け付けた場合でも、その接続希望先がＣさん宅の録画機器６であると認識し、当該録画機器６に対して携帯電話機９からのリクエストを転送する。
【００１８】
ところで認証サーバ２は、携帯電話機７のリクエストに対してＡさん宅の録画機器４からリクエスト応答を受け付けた場合には、その応答先がＡさんの携帯電話機７であると認識し、当該携帯電話機７に対して当該リクエスト応答を転送する。
【００１９】
同様に認証サーバ２は、携帯電話機８のリクエストに対してＢさん宅の録画機器５からリクエスト応答を受け付けた場合には、その応答先がＢさんの携帯電話機８であると認識し、当該携帯電話機８に対して当該リクエスト応答を転送する。
【００２０】
さらに認証サーバ２は、携帯電話機９のリクエストに対してＣさん宅の録画機器６からリクエスト応答を受け付けた場合には、その応答先がＣさんの携帯電話機９であると認識し、当該携帯電話機９に対して当該リクエスト応答を転送する。
【００２１】
すなわち図２に示すように認証サーバ２は、Ａさん、Ｂさん及びＣさんの各ユーザに対して携帯電話機７〜９と録画機器４〜６とがそれぞれ一意に対応付けられた携帯電話機−録画機器対応テーブル（図示せず）を有しており、当該携帯電話機−録画機器対応テーブルに基づいてＡさんの携帯電話機７とＡさん宅の録画機器４とを接続し、Ｂさんの携帯電話機８とＢさん宅の録画機器５とを接続し、Ｃさんの携帯電話機９とＣさん宅の録画機器６とを接続し得るようになされている。
【００２２】
（２）携帯電話機の構成
次に、携帯電話機７〜９の構成について図３を用いて説明する。但し、携帯電話機７〜９の構成は全て同一であるので、ここでは携帯電話機７についてのみ説明し、携帯電話機８及び９については説明の便宜上省略する。
【００２３】
携帯電話機７は、ＣＰＵ(Central Processing Unit)構成の制御部１１によって全体を統括制御するようになされており、入力操作部１３からの命令に応じてＷｅｂブラウザ１４やメーラ１５を起動し、その内容を液晶ディスプレイ(Liquid Crystal Display)でなる表示部１２に表示したり、通信処理部１６を介して基地局１０との間でデータの授受を行うようになされている。
【００２４】
（３）録画機器の構成
続いて、録画機器４〜６の構成について図４を用いて説明する。但し、録画機器４〜６の構成は全て同一であるので、ここでは録画機器４についてのみ説明し、録画機器５及び６については説明の便宜上省略する。
【００２５】
録画機器４は、ＣＰＵ構成の制御部２１によって全体を統括制御するようになされており、チューナ部２４で受信したＴＶ番組を番組予約制御部２３の制御に従って記録再生部２５によりハードディスク又はＤＶＤ(Digital Versatile Disc)等の記録媒体に記録する。
【００２６】
また録画機器４は、ＥＰＧ(Electric Program Guide)取得部２２によってＴＶ番組に関するＥＰＧ情報をインターネット３等を介して予め取得しておき、これを基に番組予約制御部２３によりＴＶ番組の録画予約を実行するようになされている。
【００２７】
なお制御部２１は、携帯電話機７に対して提供すべき各種ページ画面の生成等についても実行するようになされており、当該各種ページ画面を携帯電話機７のＷｅｂブラウザ１４と授受するためにＨＴＴＰ(Hypertext Transfer Protocol)変換部２６でプロトコル変換を行った後、ネットワークインタフェース２７を介して送信する。
【００２８】
また録画機器４は、ネットワークインタフェース２７及びＨＴＴＰ変換部２６を介して携帯電話機７から認証サーバ２経由で送られてくる各種リクエストを受け付け、そのリクエストに対するリクエスト応答をＨＴＴＰ変換部２６及びネットワークインタフェース２７を介して返信するようになされている。
【００２９】
（４）認証サーバの構成
続いて、認証サーバ２の構成について図５を用いて説明する。認証サーバ２は、通信処理部３２がインターネット３と接続されており、携帯電話機７〜９からインターネット３及び通信処理部３２を介して行われるアクセス要求に対し、制御部３０の認証部３１で当該携帯電話機７〜９が正規に登録されているユーザであるか否かを認証する。
【００３０】
具体的には、認証部３１は携帯電話機７〜９からそれぞれ送られてくるユーザＩＤ及びパスワードをユーザデータベース３３で照合し、正規ユーザであると判断した場合、携帯電話機−録画機器対応テーブルに従って、携帯電話機７〜９にそれぞれ一意に対応付けられた録画機器４〜６のネットワークアドレスを読み取り、そのネットワークアドレスに従って携帯電話機７〜９のリクエストを録画機器４〜６へそれぞれ転送する。
【００３１】
その逆に認証部３１は、携帯電話機７〜９のリクエストに対して録画機器４〜６からそれぞれ送られてくるリクエスト応答についても、携帯電話機−録画機器対応テーブルに従って、録画機器４〜６にそれぞれ一意に対応付けられた携帯電話機７〜９のネットワークアドレスを読み取り、そのネットワークアドレスに従ってリクエスト応答を携帯電話機７〜９へそれぞれ転送する。
【００３２】
（５）携帯電話機が録画機器からＥＰＧ情報を取得する流れ
次に、録画予約管理システム１において例えばＡさんが携帯電話機７を介して録画機器４からＴＶ番組のＥＰＧ情報を取得するまでの流れについて、図６及び図７を用いて説明する。
【００３３】
ステップＳＰ１において携帯電話機７は、Ａさんの当該携帯電話機７に対する操作に応じて基地局１０を介して認証サーバ２へアクセスし、Ａさんの録画機器４に対する接続要求を行った後、次のステップＳＰ２へ移る。
【００３４】
このときステップＳＰ１１において認証サーバ２は、携帯電話機７に対してユーザＩＤ及びパスワードの要求を行い、次のステップＳＰ１２へ移る。
【００３５】
ステップＳＰ２において携帯電話機７は、認証サーバ２からの要求に応じてユーザＩＤ及びパスワードを当該認証サーバ２へ送信し、次のステップＳＰ３へ移る。
【００３６】
このときステップＳＰ１２において認証サーバ２は、認証部３１で携帯電話機７から送られてきたユーザＩＤ及びパスワードをユーザデータベース３３で照合することにより当該携帯電話機７が正規に登録されているＡさんのものであるか否かを認証し、認証結果を得ると次のステップＳＰ１３へ移る。
【００３７】
ステップＳＰ１３において認証サーバ２は、携帯電話機７からの接続要求に応えるべく、携帯電話機−録画機器対応テーブルに従って、当該携帯電話機７から認証サーバ２宛のネットワークアドレスをＡさん所有の録画機器４のネットワークアドレスへ変換することにより、当該携帯電話機７と録画機器４とを接続し、次のステップＳＰ１４へ移る。
【００３８】
ステップＳＰ１４において認証サーバ２は、携帯電話機７からのトップメニューページの取得要求に関するリクエストを録画機器４に対して転送し、次のステップＳＰ１５へ移る。
【００３９】
このときステップＳＰ２１において録画機器４は、携帯電話機７からのリクエストに応じたトップメニューページを制御部２１により返信し、次のステップＳＰ２２へ移る。
【００４０】
ステップＳＰ１５において認証サーバ２は、トップメニューページを携帯電話機７へ転送すべく、携帯電話機−録画機器対応テーブルに従って、当該録画機器４から認証サーバ２宛のネットワークアドレスをＡさん所有の携帯電話機７のネットワークアドレスへ変換することにより、当該録画機器４と携帯電話機７とを接続し、次のステップＳＰ１６へ移る。
【００４１】
ステップＳＰ１６において認証サーバ２は、トップメニューページを携帯電話機７へ転送し、次のステップＳＰ１７へ移る。これにより携帯電話機７の制御部１１は、図８に示すように表示部１２にトップメニューページ１００を表示する。
【００４２】
このトップメニューページ１００は、「タイトル一覧」、「録画予約」、「予約候補一覧」、「番組表」、「リモコン機能」及び「視聴中の番組」と記述された複数の項目を有しており、携帯電話機７を所有しているＡさんに対して任意の項目を選択させるようになされている。
【００４３】
ステップＳＰ３において携帯電話機７は、トップメニューページ１００の中から「番組表」項目がクリックされると、番組表取得要求を認証サーバ２に対して行い、次のステップＳＰ４へ移る。
【００４４】
ステップＳＰ１７において認証サーバ２は、既にステップＳＰ１２で携帯電話機７に対する認証処理が終了しているので、当該認証処理は行わずにステップＳＰ１３と同様にアドレス変換だけを行い、次のステップＳＰ１８で番組表取得要求を録画機器４へ転送し、次のステップＳＰ１９へ移る。
【００４５】
このときステップＳＰ２２において録画機器４は、携帯電話機７からの番組表取得要求に応じたＥＰＧメニューページを制御部２１により返信した後終了する。
【００４６】
ステップＳＰ１９において認証サーバ２は、再度アドレス変換を行って、次のステップＳＰ２０でＥＰＧメニューページを番組表情報として携帯電話機７へ転送した後に終了する。
【００４７】
ステップＳＰ４において携帯電話機７は、図９に示すように番組表情報としてＥＰＧメニューページ１０１を表示部１２に表示して終了する。これにより携帯電話機７のＡさんは、ＥＰＧメニューページ１０１を参照することにより、例えばＭＨＫ総合チャンネルでは１２月１８日の12:00-12:20「スタジオ列島」、12:20-13:00「首都圏ニュース」、13:00-15:00「今日の料理特別版」、……、が放送予定であることを認識することができる。
【００４８】
（６）ＡさんからＢさんへ番組予約情報を提供する流れ
次に、Ａさんの携帯電話機７からＢさんの携帯電話機８へＴＶ放送番組の番組予約情報を提供するまでの流れについて、図１０及び図１１を用いて説明する。
【００４９】
ステップＳＰ３１において携帯電話機７は、ＥＰＧメニューページ１０１（図９）の中からＡさん所望のＴＶ放送番組として例えば「スタジオ列島」が選択されたことを認識すると、次のステップＳＰ３２へ移る。
【００５０】
ステップＳＰ３２において携帯電話機７は、Ｗｅｂブラウザ１４によって図１２に示すような予約設定画面１０２を生成して表示部１２に表示し、次のステップＳＰ１３へ移る。
【００５１】
予約設定画面１０２には、ＴＶ放送番組の名称「スタジオ列島」が表示されると共に、当該ＴＶ放送番組の名称「スタジオ列島」の下方に「予約確定」ボタン１０３、「削除」ボタン１０４、「キーワード」ボタン１０５及び「友達に奨める」ボタン１０６が表示される。
【００５２】
Ａさんは、この「スタジオ列島」のＴＶ放送番組を録画予約したいと考えた場合、携帯電話機７の表示部１２に表示された予約設定画面１０２のうち「予約確定」ボタン１０３をクリックするだけで良い。
【００５３】
これにより携帯電話機７は、「予約確定」ボタン１０３がクリックされたことをトリガとして、認証サーバ２経由で当該ＴＶ放送番組「スタジオ列島」をＡさんの録画機器４に対して録画予約し得るようになされている。
【００５４】
なお、「削除」ボタン１０４は録画予約を削除するためのものであり、「キーワード」ボタン１０５は他のＴＶ放送番組をキーワード検索するためのものである。
【００５５】
ステップＳＰ３３において携帯電話機７は、予約設定画面１０２の中からＡさんによって「友達に奨める」ボタン１０６がクリックされたか否かを判定し、否定結果が得られたときは「友達に奨める」ボタン１０６がクリックされるまで待ち受けるのに対し、肯定結果が得られたときは次のステップＳＰ３４へ移る。
【００５６】
ステップＳＰ３４において携帯電話機７は、「友達に奨める」ボタン１０６がクリックされたことを認識すると、メーラ１５を自動的に立ち上げて図１３に示すような電子メール作成用の編集画面１１０を表示部１２に表示し、次のステップＳＰ３５へ移る。
【００５７】
この編集画面１１０には、Ａさんが当該ＴＶ放送番組「スタジオ列島」の録画予約を奨めるべき友達の送信先アドレスを記入する宛先記入項目１１１と、このメールのタイトル記入項目１１２と、当該ＴＶ放送番組「スタジオ列島」のチャンネル及び放送時間帯等を示す番組情報１１３と、録画機器４から取得した当該ＴＶ放送番組「スタジオ列島」の録画予約に必要なＵＲＬ(Uniform Resource Locator)が表示される。
【００５８】
ステップＳＰ３５において携帯電話機７は、この編集画面１１０の宛先記入項目１１１に対して送信先のアドレスがアドレス帳から選択されて記述されたことを認識すると、次のステップＳＰ３６へ移る。
【００５９】
ステップＳＰ３６において携帯電話機７は、タイトル記入項目１１２と番組情報１１３との間に「この番組をお奨めします。」等のコメントがＡさんによって入力されて追加されたことを認識すると、次のステップＳＰ３７へ移り、この編集画面１１０の内容を番組予約情報として電子メールにより基地局１０経由でＢさんの携帯電話機８へ送信し、処理を終了する。
【００６０】
これによりステップＳＰ４１においてＢさんの携帯電話機８は、Ａさんの携帯電話機７から送信されてきた電子メールを基地局１０経由で受信し、次のステップＳＰ４２へ移り、その電子メールの内容（番組予約情報）を図１４に示すような受信画面１２０として表示部１２に表示した後、処理を終了する。
【００６１】
この受信画面１２０では、携帯電話機７の編集画面１１０における番組予約情報の内容と同様であり、タイトルとして「ＴＶ番組お奨め」、コメントとして「この番組をお奨めします。」、番組情報として当該ＴＶ放送番組「スタジオ列島」のチャンネル及び放送時間帯等が表示され、その下方に当該ＴＶ放送番組「スタジオ列島」の録画予約に必要なＵＲＬが表示される。
【００６２】
この受信画面１２０では、画面サイズの関係から全内容を把握するためにはスクロール表示させる必要があるが、表示部１２の画面サイズが大きな通信端末であれば、必ずしもスクロール表示させる必要はない。
【００６３】
携帯電話機８のＢさんは、この受信画面１２０を参照することにより、ＡさんからどのようなＴＶ放送番組が録画予約用に奨められているのかを認識することができると共に、番組予約情報によって録画予約用に推奨されたＴＶ放送番組のチャンネル及び放送時間帯等についても知ることができる。
【００６４】
（７）Ｂさんが番組予約情報を用いて自己の録画機器にＴＶ放送番組を録画予約する流れ
次に、Ｂさんが番組予約情報を用いて携帯電話機８から自己の録画機器５に対してＴＶ放送番組の録画予約を行うまでの流れについて、図１５及び図１６を用いて説明する。
【００６５】
ステップＳＰ５１において携帯電話機８は、受信画面１２０（図１４）の中から当該ＴＶ放送番組「スタジオ列島」の録画予約に必要な番組予約情報としてＵＲＬがクリックされたか否かを判定し、否定結果が得られると当該ＵＲＬがクリックされるまで待ち受け、肯定結果が得られると次のステップＳＰ５２へ移る。
【００６６】
ステップＳＰ５２において携帯電話機８は、受信画面１２０の中からＵＲＬがクリックされたことに応じて、基地局１０経由で認証サーバ２に対してＵＲＬを送信することにより録画予約要求を行い、次のステップＳＰ５３へ移る。
【００６７】
このときステップＳＰ６１において認証サーバ２は、携帯電話機７に対してユーザＩＤ及びパスワードの要求を行い、次のステップＳＰ６２へ移る。
【００６８】
ステップＳＰ５３において携帯電話機７は、認証サーバ２からの要求に応じてユーザＩＤ及びパスワードを当該認証サーバ２へ送信し、次のステップＳＰ５４へ移る。
【００６９】
このときステップＳＰ６２において認証サーバ２は、認証部３１で携帯電話機８から送られてきたユーザＩＤ及びパスワードをユーザデータベース３３で照合することにより当該携帯電話機８が正規に登録されているＢさんのものであるか否かを認証し、認証結果を得ると次のステップＳＰ６３へ移る。
【００７０】
ステップＳＰ６３において認証サーバ２は、携帯電話機８からの録画予約要求に応えるべく、携帯電話機−録画機器対応テーブルに従って、当該携帯電話機８から認証サーバ２宛のネットワークアドレスをＢさん所有の録画機器５のネットワークアドレスへ変換することにより、Ｂさんの当該携帯電話機８とＢさんの録画機器５とを接続し、次のステップＳＰ６４へ移る。
【００７１】
ステップＳＰ６４において認証サーバ２は、携帯電話機８からのＵＲＬを録画機器５に対して転送し、次のステップＳＰ６５へ移る。
【００７２】
このときステップＳＰ７１において録画機器５は、制御部２１により携帯電話機８からのＵＲＬに基づいて所定の接続先にアクセスし、当該ＵＲＬに基づく録画予約の予約時間帯を認識した後に次のステップＳＰ７２へ移り、ＵＲＬに基づく録画予約の予約時間帯と、以前に行われた録画予約の予約状況とを比較することにより予約時間帯が重なっているか否かを判定する。
【００７３】
ここで否定結果が得られると、このことはＵＲＬに基づく録画予約の予約時間帯と、以前に行われた録画予約の予約時間帯とが重なっていないのでＡさんから奨められたＴＶ放送番組を録画予約しても問題ないことを表しており、このとき録画機器５は次のステップＳＰ７６へ移って、図１７に示すような予約ページ１３０を携帯電話機８に対して返信し、次のステップＳＰ７４へ移る。
【００７４】
この予約ページ１３０には、予約することを問いかける「予約しますか？」の文字と、放送局のチャンネル、放送時間帯及びＴＶ放送番組のタイトルが表示されると共に、予約確定の「ＯＫ」ボタン１３１が表示される。
【００７５】
これに対してステップＳＰ７２で肯定結果が得られると、このことはＵＲＬに基づく録画予約の予約時間帯と、以前に行われた録画予約の予約時間帯とが重なっていることを表しており、このとき録画機器５は次のステップＳＰ７３へ移って、図１８に示すような予約確認ページ１４０を携帯電話機８に対して送信し、次のステップＳＰ７４へ移る。
【００７６】
この予約確認ページ１４０には、予約が重なっていること及び消去して新しい予約を登録するか否かを問いかける「以下の録画予約と重なっています。これらを消去して新しい予約を登録しますか？」の文字と、現在既に予約してある放送局のチャンネル、放送時間帯及びＴＶ放送番組のタイトル「夢・音楽館」が表示されると共に、当該ＴＶ放送番組「夢・音楽館」の録画予約を消去して新たに予約するための「消去して予約」ボタン１４１及び録画予約を中止するための「戻る」ボタン１４２が表示される。
【００７７】
このときステップＳＰ６５において認証サーバ２は、録画機器５から送信されてくる予約ページ１３０又は予約確認ページ１４０を携帯電話機８へ送信するためにアドレス変換を行い、次のステップＳＰ６６へ移って予約ページ１３０又は予約確認ページ１４０を携帯電話機８へ転送し、次のステップＳＰ６７へ移る。
【００７８】
これによりステップＳＰ５４において携帯電話機８は、予約ページ１３０又は予約確認ページ１４０を受信して表示部１２に表示した後、その予約ページ１３０又は予約確認ページ１４０の中で「ＯＫ」ボタン１３１又は「消去して予約」ボタン１４１が選択されてクリックされたか否かを判定し、否定結果が得られると処理を終了し、肯定結果が得られるとステップＳＰ５５において録画機器５に対して録画予約要求を行い、次のステップＳＰ５６へ移る。
【００７９】
このときステップＳＰ６７において認証サーバ２は、既にステップＳＰ６２で携帯電話機８に対する認証処理が終了しているので、当該認証処理は行わずにステップＳＰ６３と同様にアドレス変換だけを行い、次のステップＳＰ６８で録画予約要求を録画機器５へ転送し、次のステップＳＰ６９へ移る。
【００８０】
これによりステップＳＰ７４において録画機器５は、番組予約制御部２３により携帯電話機８から転送されたＵＲＬに基づく接続先に対してアクセスして録画予約処理を実行し、次のステップＳＰ７５へ移って録画予約が完了した旨の予約完了通知を携帯電話機８へ送信した後、終了する。
【００８１】
このときステップＳＰ６９において認証サーバ２は、ステップＳＰ６５と同様にアドレス変換を行い、次のステップＳＰ７０で当該予約完了通知を携帯電話機８へ転送した後に終了する。
【００８２】
これによりステップＳＰ５６において携帯電話機８は、認証サーバ２から転送された予約完了通知を表示部１２に表示して終了する。これにより携帯電話機８は、Ａさんから奨められたＴＶ放送番組の録画予約がＢさんの録画機器５によって実行されたことを当該Ｂさんに対して目視確認させ得るようになされている。
【００８３】
（８）動作及び効果
以上の構成において、録画予約管理システム１では、Ａさんが携帯電話機７を介してＥＰＧ情報を取得する場合、まず認証サーバ２に対してアクセスし、当該認証サーバ２経由で自己の録画機器４と接続される。
【００８４】
続いてＡさんは、携帯電話機７の表示部１２に表示されたトップメニューページ１００の中から「番組表」項目を選択してＥＰＧメニューページ１０１を取得し、その中からＡさんがＢさんにお奨めしようと考えたＴＶ放送番組があった場合、編集画面１１０（図１３）を用いて作成した番組予約情報を電子メールによって基地局１０を介してＢさん携帯電話機８へ送信するだけでよい。
【００８５】
この電子メールを受信した携帯電話機８では、Ｂさんが受信画面１２０（図１４）に表示された番組予約情報のうちＵＲＬをクリックするだけで、当該携帯電話機８が自動的に認証サーバ２を介してＢさんの録画機器５に接続され、そのＵＲＬが当該録画機器５へ認証サーバ２経由で転送される。
【００８６】
これにより録画機器５では、認証サーバ２経由で送られてきたＵＲＬに基づく接続先にアクセスし、Ａさんが推奨するＴＶ放送番組の録画予約を自動的に実行した後、録画予約完了通知を認証サーバ２経由でＢさんの携帯電話機８へ送信する。
【００８７】
このようにＡさんは、Ｂさんにお奨めするＴＶ放送番組の番組予約情報を当該携帯電話機７からＢさんの携帯電話機８へ電子メールとして送信するだけでよい。
【００８８】
一方Ｂさんは、携帯電話機８でＡさんの携帯電話機７から受信した番組予約情報を認証サーバ２へ送信しさえすれば、その後、認証サーバ２が当該番組予約情報をＢさんの録画機器５に対して自動的に転送し、当該録画機器５が番組予約情報のＵＲＬに基づく接続先にアクセスすることにより録画予約を実行する。
【００８９】
すなわち録画予約管理システム１では、Ａさん及びＢさん共に、相手の録画機器４又は５に対して直接アクセスする必要もなければ、相手の録画機器４又は５のネットワークアドレスを知る必要もなく、Ａさんは単に番組予約情報を携帯電話機７から携帯電話機８へ電子メールとして送信するだけで良いので、録画機器４又は５のネットワークアドレスを通知し合う必要がなくユーザにとって重要なアドレス情報を漏洩を確実に防止して秘匿性を維持しつつ簡易に録画予約を実行させることができる。
【００９０】
また、録画予約管理システム１では、Ａさんの携帯電話機７から番組予約情報として放送局のチャンネル、放送時間帯、ＴＶ放送番組のタイトル及びＵＲＬといった一般的な情報だけを電子メールによりＢさんの携帯電話機８へ送信するだけでよいので非常に汎用性が高い。
【００９１】
さらに録画予約管理システム１では、番組予約情報をＡさんの携帯電話機７からＢさんの携帯電話機８へ個別かつ直接的に提供するようにしたことにより、従来のようにＴＶ放送番組の番組情報を携帯電話機７〜９へ提供するための番組情報サーバが不要となり、その分システム全体の構成を簡素化することができる。
【００９２】
なお、従来であれば番組情報サーバにアクセスしさえすれば、誰でもユーザ所望の番組情報を取得することができたが、録画予約管理システム１ではＢさんが積極的に番組情報を取得するための操作をする必要がなく、Ａさんから番組予約情報の提供があるのを待ち受けているだけでＢさん所望の番組予約情報を取得することができる。
【００９３】
以上の構成によれば、録画予約管理システム１では認証サーバ２がネットワークを介して相互に接続される携帯電話機７〜９と録画機器４〜６とを１対１に対応付けた携帯電話機−録画機器対応テーブルを有し、当該携帯電話機−録画機器対応テーブルに従って携帯電話機７〜９と録画機器４〜６とを相互に接続し、携帯電話機７〜９から送られてくる番組予約情報を対応する録画機器４〜６へ転送して録画予約を実行させることにより、当該携帯電話機７〜９から番組予約情報を認証サーバ２へ送信させるだけで当該録画機器４〜６に対して自動的に録画予約を実行させることができる。
【００９４】
（９）他の実施の形態
なお上述の実施の形態においては、Ａさんの携帯電話機７からＢさんの携帯電話機８に対してＴＶ放送番組の番組予約情報を電子メールで送信するようにした場合について述べたが、本発明はこれに限らず、Ｂさんの携帯電話機８からＡさんの携帯電話機７へＴＶ放送番組の番組予約情報を電子メールで送信したり、或いはＡさんの携帯電話機７からＢさんの携帯電話機８及びＣさんの携帯電話機９に対して一斉にＴＶ放送番組の番組予約情報を電子メールで送信するようにしても良い。
【００９５】
また上述の実施の形態においては、Ａさんの携帯電話機７からＢさんの携帯電話機８に対してＴＶ放送番組の番組予約情報を電子メールで送信するようにした場合について述べたが、本発明はこれに限らず、いわゆるメールマガジン等のように企業等からＡさん、Ｂさん及びＣさんの携帯電話機７〜９へＴＶ放送番組の番組予約情報を電子メールで一斉に送信するようにしても良い。
【００９６】
さらに上述の実施の形態においては、記録機器としてハードディスクレコーダ等でなる録画機器４〜６を用いてＴＶ放送番組を録画予約するようにした場合について述べたが、本発明はこれに限らず、ディスク状記録媒体やテープ状記録媒体に音声データを記録する記録機器を用いてラジオ番組の番組予約を行うようにしても良い。
【００９７】
さらに上述の実施の形態においては、録画予約管理システム１の通信端末として携帯電話機７〜９を用いるようにした場合について述べたが、本発明はこれに限らず、通信機能を有する端末であればモバイル型のパーソナルコンピュータやＰＤＡ(Personal Digital Assistant)等のその他種々の通信端末を用いるようにしても良い。
【００９８】
さらに上述の実施の形態においては、録画機器４のＥＰＧ取得部２２によってインターネット３経由で予めＴＶ放送番組に関する録画予約情報を携帯電話機７で取得し、これを基に録画予約するようにした場合について述べたが、本発明はこれに限らず、チューナ部２４によってＴＶ番組に関する番組情報を受信し、これを基に録画予約を行うようにしても良い。
【産業上の利用可能性】
【００９９】
本発明の番組予約管理装置は、例えばネットワークを介して相互に接続される複数の記録機器と複数の通信端末との間で番組予約情報を相互に授受して番組予約する用途に適用することができる。
【図面の簡単な説明】
【０１００】
【図１】本発明の録画予約管理システムの全体構成を示す略線図である。
【図２】認証サーバによる接続先の振り分けの説明に供する略線図である。
【図３】携帯電話機の構成を示す略線的ブロック図である。
【図４】録画機器の構成を示す略線的ブロック図である。
【図５】認証サーバの構成を示す略線的ブロック図である。
【図６】携帯電話機が録画機器からＥＰＧ情報を取得する流れの説明に供する略線図である。
【図７】ＥＰＧ情報取得処理シーケンスを示すシーケンスチャートである。
【図８】トップメニューページを示す略線図である。
【図９】ＥＰＧメニューページを示す略線図である。
【図１０】ＡさんからＢさんへ番組予約情報を提供する流れの説明に供する略線図である。
【図１１】番組予約情報の通知処理シーケンスを示すシーケンスチャートである。
【図１２】予約設定画面を示す略線図である。
【図１３】編集画面を示す略線図である。
【図１４】受信画面を示す略線図である。
【図１５】Ｂさんが番組予約情報を用いて録画機器に録画予約する流れの説明に供する略線図である。
【図１６】録画予約処理シーケンスを示すシーケンスチャートである。
【図１７】予約ページを示す略線図である。
【図１８】予約確認ページを示す略線図である。
【符号の説明】
【０１０１】
１……録画予約管理システム、２……認証サーバ、３……ネットワーク、４〜６……録画機器、７〜９……携帯電話機、１０……基地局、１１、２１、３０……制御部、１２……表示部、１４…Ｗｅｂブラウザ、１５……メーラ、１６、３２……通信処理部、２２……ＥＰＧ取得部、２３……番組予約制御部、２４……チューナ部、２５……記録再生部、２６……ＨＴＴＰ変換部、２７……ネットワークインタフェース、３１……認証部、３３……ユーザデータベース、３４……アドレス変換部。
【図１】
2005210644.tif 000003
【図２】
2005210644.tif 000004
【図３】
2005210644.tif 000005
【図４】
2005210644.tif 000006
【図５】
2005210644.tif 000007
【図６】
2005210644.tif 000008
【図７】
2005210644.tif 000009
【図８】
2005210644.tif 000010
【図９】
2005210644.tif 000011
【図１０】
2005210644.tif 000012
【図１１】
2005210644.tif 000013
【図１２】
2005210644.tif 000014
【図１３】
2005210644.tif 000015
【図１４】
2005210644.tif 000016
【図１５】
2005210644.tif 000017
【図１６】
2005210644.tif 000018
【図１７】
2005210644.tif 000019
【図１８】
2005210644.tif 000020